(57)【要約】【課題】  表示部における暗色の文字や記号を、照光時には十分な輝度で且つ輝度ムラ無く表示する。【解決手段】  透明な表示板４の背面に遮光印刷層５が形成され、この遮光印刷層５に部分的に抜き形成された照光表示部５ａの背面に、透光性を有する合成樹脂製の暗色シート６が配設され、ランプ１１から発せられた光が暗色シート６を介して照光表示部５ａに照射される。【選択図】  図４
2005077874.tif 000002
【特許請求の範囲】
【請求項１】
透明な表示板と、この表示板の背面に形成された遮光印刷層と、この遮光印刷層に部分的に抜き形成されて文字または記号の表示を行う照光表示部と、この照光表示部を背面側から照光する光源とを有する照光式表示装置において、前記照光表示部の背面には、透光性を有する合成樹脂製の暗色シートが配設され、前記光源から発せられた光が前記暗色シートを介して前記照光表示部に照射されることを特徴とする照光式表示装置。
【請求項２】
前記暗色シートの背面に、透光性を有する光拡散層が印刷形成されていることを特徴とする請求項１記載の照光式表示装置。
【請求項３】
前記光源は、前記暗色シートと別色の光を発することを特徴とする請求項１または２記載の照光式表示装置。
【発明の詳細な説明】
【技術分野】
【０００１】
本発明は、例えば車載用の音響機器や映像機器の前面パネル等に設けられる表示装置に係り、特に、昼間は非照光状態で文字や記号を視認可能とし、夜間は上記文字や記号を光源の光で発光表示させる照光式表示装置に関する。
【背景技術】
【０００２】
一般的に、車載用としてインストルメントパネルに組み込まれる音響機器や映像機器では、装置本体の前面部に固設された前面パネルに、ＬＣＤ等の可変情報を表示する表示器や各種操作キーが配設されている。表示器の前面側には、スケールプレートと称される透明な表示板が設けられ、この表示板によって表示器が直接外部に露出しないように覆われている。また、表示板の背面には遮光印刷層が形成されており、表示器によって生成される文字や記号は、遮光印刷層に部分的に抜き形成された透明窓部を介して前方から視認できるようになっている。
【０００３】
上記表示板には、デザイン上の要求等により、表示器による可変情報表示部以外にも、例えば操作キーの機能表示のように所定の文字や記号を表示するための表示部が設けられる場合が多い（例えば、特許文献１参照）。この表示部の構成としては、先ず上記遮光印刷層が黒色等の暗色で印刷形成されるが、この印刷時に、表示すべき所定の文字形状や記号の形状の抜き部（非印刷部）が予め形成され、さらに、この抜き部に対し背面側から透光性の白色印刷層が形成されてなるものである。
このように構成された表示部は、遮光印刷層が暗色であるのに対して文字や記号が白色となるため、明るい場所では上記文字や記号が容易に視認できる。また、外部が暗いときには、白色印刷層の背面側に設置したランプやＬＥＤ等の光源を点灯させることにより、この白色印刷層を透過して拡散された光で、輝度ムラを生じること無く文字や記号を照光表示でき、夜間でもその視認性を良好に維持することが可能である。
【特許文献１】実願平３−６７８８３号（実開平５−１５０８５号）のＣＤ−ＲＯＭ（第６頁、図１）
【発明の開示】
【発明が解決しようとする課題】
【０００４】
昨今、前述した機器の前面パネルもデザインが多様化し、これに伴って上記表示部の文字や記号を非照光状態において白色ではなく暗色（例えば黒色、濃い灰色、濃い緑色、濃い青色等）で表示させたいという要求がある。
この場合、上記白色印刷層に代えて、所望の暗色の半透光性印刷層を形成すれば良いが、暗色の塗料を使用するため光の透過率が低下し、照光時に十分な輝度が得られず、また、非透光性の塗料と透光性の塗料とを混合して半透光性の暗色塗料を生成する必要があり、これらの塗料が完全に混ざり合っていないと、照光時に表示部に輝度ムラが発生し、文字や記号の視認性が悪化するという課題がある。
【０００５】
本発明は、このような従来技術の実情に鑑みてなされたもので、その目的は、表示部における暗色の文字や記号を、照光時には十分な輝度で且つ輝度ムラ無く表示することが可能な照光式表示装置を提供することにある。
【課題を解決するための手段】
【０００６】
上記課題を解決するために、本発明は、透明な表示板と、この表示板の背面に形成された遮光印刷層と、この遮光印刷層に部分的に抜き形成されて文字または記号の表示を行う照光表示部と、この照光表示部を背面側から照光する光源とを有する照光式表示装置において、前記照光表示部の背面に、透光性を有する合成樹脂製の暗色シートを配設し、前記光源から発せられた光が前記暗色シートを介して前記照光表示部に照射されるようにしたものである。
このように構成された照光式表示装置によれば、非照光時には遮光印刷層に抜き形成された照光表示部に暗色シートの色が現れるので、文字や記号を所望の暗色にて表示することができ、また、照光時には暗色印刷層ではなく合成樹脂製の暗色シートを介して照光表示部に光を照射することで、文字や記号を高輝度でムラ無く照光表示することができる。
【０００７】
上記構成において、前記暗色シートの背面に、透光性を有する光拡散層が印刷形成されていることが好ましい。
このように構成すれば、暗色シートの背面と光源との間、または暗色シートの背面と光源からの光を導く導光部材との間に十分な間隔が設定できない場合でも、光源からの光を光拡散層で十分に拡散してから暗色シートに導入することができるので、照光表示部における輝度ムラの発生をより確実に防止することができる。
【０００８】
上記各構成において、前記光源は、前記暗色シートと別色の光を発するものであることが好ましい。
例えば、光源としてのランプに、暗色シートの色とは異なる明色（例えば、黄色、橙色、水色、桃色等）のキャップを装着し、このキャップを透過した光を照光表示部に照射することにより、非照光時とは全く異なる色で文字や記号を照光表示することができ、斬新なデザインの照光表示装置を提供することが可能となる。なお、光源としてＬＥＤを使用すれば、上記のようなキャップを用いることなく所望の色の照明光を得ることができる。
【発明の効果】
【０００９】
本発明による照光式表示装置では、非照光時には照光表示部の文字や記号を所望の暗色にて表示することができ、また、照光時にはこの文字や記号を高輝度でムラ無く照光表示することができる。
【発明を実施するための最良の形態】
【００１０】
以下、本発明の実施の形態を図面を参照して説明する。
図１は本発明の照光式表示装置を備えた車載用音響機器の正面図、図２は同機器の前面パネル部の分解斜視図、図３は本発明の照光式表示装置に使用される表示板の正面図、図４は本発明の照光式表示装置を断面にて示す説明図である。
【００１１】
図中符号１は、車載用音響機器の装置本体（図示せず）の前面部に固設された前面パネルを示している。この前面パネル１は、車両のインストルメントパネルに露出して配置されるものである。図２に示すように、前面パネル１には、複数のキー挿入穴１ａ，１ｂ，１ｃと、該前面パネル１の背面側中央部に配置される可変情報表示器２の表示面を露出させるための窓穴１ｄと、窓穴１ｄの上側に位置しＣＤやＤＶＤ等のメディアを挿脱するための挿入口１ｅとが形成されている。なお、本実施の形態では、前面パネル１はＡＢＳ樹脂から形成され、その前面が全体的にシルバー色に塗装されている。
【００１２】
上記キー挿入穴１ａ，１ｂ，１ｃには、それぞれ各種操作キー３ａ，３ｂ，３ｃが背面側から挿入されて取り付けられる。また、窓穴１ｄの内方には、上記可変情報表示器２としてＬＣＤあるいは有機ＥＬ等の表示素子が配設され、この表示素子の表示面が窓穴１ｄに露出するようになっている。窓穴１ｄは後述する表示板４によって覆われ、可変情報表示器２が直接外部に露出しないように保護される。
【００１３】
上記表示板４は、スケールプレートと称されるものであり、透明なアクリル樹脂またはポリカーボネート樹脂から板状に形成されたものである。表示板４の下部には、上記前面パネル１のキー挿入穴１ｃ，１ｃ，…と対応する位置に、それぞれ貫通穴４ａ，４ａ，…が形成されており、操作キー３ｃ，３ｃ，…はこの貫通穴４ａ，４ａ，…内に押圧操作可能に挿入される。また、表示板４の上部には、前面パネル１の挿入口１ｅと対応するメディア挿脱用のスリット４ｂが開口している。ＣＤやＤＶＤ等のメディアは、このスリット４ｂおよび挿入口１ｅを通過して上記装置本体の内外へ移送される。
【００１４】
表示板４の背面には、上記可変情報表示器２によって生成される表示内容を外部から目視可能とするための透明窓部４ｃを除いて、全体的に遮光印刷層５が印刷形成されている（図３の着色部参照）。本実施の形態では、遮光印刷層５は前面パネル１と同色のシルバー色の遮光性塗料で形成されている。なお、この遮光印刷層５は必ずしも一層の印刷層である必要はなく、例えば、表示板４の背面に半透光性を有するシルバー色の印刷層を形成し、その背面に遮光性の黒色の印刷層を積層して形成することで、全体として遮光性印刷層５を構成するようにしても良い。
【００１５】
遮光印刷層５には、操作キー３ｃ，３ｃ，…の上方位置と、操作キー３ｂ，３ｂの斜め上方位置とに、それぞれの操作キー３ｃ，３ｂの機能表示またはオーディオソースの表示を行う文字５ａ，５ａ，…が予め非印刷部として抜き形成されている。この文字５ａ，５ａ，…は後述する光源によって照光されるものであり、夜間でも視認可能な照光表示部を構成している。そして、表示板４はその背面の遮光印刷層５を前面パネル１に密着させるようにして、該前面パネル１の嵌合凹部７内に嵌着されて位置決めされ、且つ接着固定されている。
【００１６】
表示板４の背面側における上記文字５ａ，５ａ，…と対応する位置には、透光性を有する黒色のポリカーボネート樹脂（スモーク材）によって薄板状に形成された暗色シート６，６，…が配設されている。これら暗色シート６，６，…は、前面パネル１の嵌合凹部７の内底面７ａからさらに凹状に形成された装着部８，８，…に嵌装されて位置決めされ、且つその周縁部が装着部８，８，…の内面に接着されて固定されている。
【００１７】
図４に示すように、各暗色シート６，６，…の背面には、透光性を有する白色の光拡散層９が印刷形成されている。また、前面パネル１の装着部８，８，…の内底面にはそれぞれ貫通穴８ａが形成されており、各貫通穴８ａ内に背面側から導光部材１０の突出部１０ａが挿入されている。導光部材１０は透明なアクリル樹脂またはポリカーボネート樹脂から形成されており、前面パネル１の内部に配置されたランプ（光源）１１の光を各突出部１０ａに導いて、これら各突出部１０ａの先端から前方へ光を照射するものである。
装置全体の小型化に伴って、突出部１０ａの先端と暗色シート６との間に十分な空間を設けられない場合、この空間内で光を拡散させることが困難となり、暗色シート６に入射される光に輝度ムラが生じる恐れがあるが、上記のように暗色シート６の背面に光拡散層９を形成しておくことにより、輝度ムラの発生を確実に防止することができる。
【００１８】
ランプ１１には透光性を有するゴム製のキャップ（図示せず）が被着されており、このキャップの色により照明色が決定されるようになっている。本実施の形態においては、上記キャップが明るい橙色に着色されている。なお、ランプ１１に代えて所望の発光色で点灯するＬＥＤを使用することも可能である。また、各文字（照光表示部）５ａと対応する各所にランプ１１またはＬＥＤを配設することができる場合には、上記導光部材１０を削除してこれらの光源で直接文字５ａを照光するようにしても良い。これらの光源は、車両のライトのスイッチと連動して点灯／消灯するようになっており、つまり昼間の明るい場所ではランプ１１は消灯状態（非照光状態）とされ、夜間あるいはトンネル内等の暗い場所ではランプ１１が点灯状態（照光状態）となる。
【００１９】
上記のように構成された照光式表示装置においては、ランプ１１の消灯時（非照光時）に、背面に遮光印刷層５が形成されていない文字５ａの部分に暗色シート６の色が透過して現れるため、周りの遮光印刷層５のシルバー色に対して明度の差が大きい黒い文字５ａがはっきりと視認できる。一方、ランプ１１が点灯した時（照光時）には、上記キャップを通過して橙色に着色された照明光が導光部材１０の突出部１０ａの前端面から照射され、暗色シート６の背面の光拡散層９に入射する。この光拡散層９で十分に拡散された照明光は暗色シート６を透過して文字５ａに入射され、これにより文字５ａが明るい橙色に照光表示される。
【００２０】
ここで、照光時においてランプ１１から発せられた光は、合成樹脂製の暗色シート（スモーク材）６を介して文字５ａに照射されるため、従来のような暗色印刷層を透過させる場合に比べて照明光の輝度の低下は小さく、輝度ムラも発生し難い。よって、高輝度で且つ輝度ムラ無く文字５ａを照光表示することができる。このように、表示文字５ａを、昼間の明るい場所では黒色（暗色）で、夜間等の暗い場所では明るい橙色（明色）で表示することにより、昼夜問わず視認性に優れた表示を行うことが出来る。
また、文字５ａは非照光時には黒色に表示され、照光時には明るい橙色に照光表示されるので、非照光時と照光時とで文字５ａの色が全く異なり、変化に富む斬新なデザインの照光式表示装置をユーザーに提供することができる。
【００２１】
なお、本実施の形態では、遮光印刷層５をシルバー色、暗色シート６を黒色とした例を示したが、両部材の色の組合せはこれに限定されるものではなく、暗色シート６の色は遮光印刷層５の色に対して明度の差が大きい暗色（例えば、黒色以外の濃い灰色、濃い緑色、濃い青色、濃い赤色等）を適宜選択すれば良く、これにより、非照光時における文字５ａの視認性が良好となるものである。同様に、ランプ１１等の光源から発せられる照明色も特に限定されるものではない。
また、本実施の形態では、照光表示部として操作キーの機能表示またはオーディオソースの表示を行う文字５ａを例に挙げて説明したが、文字や数字に限らず各種記号等を照光表示部としても良いことは、言うまでも無い。
【図面の簡単な説明】
【００２２】
【図１】本発明の照光式表示装置を備えた車載用音響機器の正面図である。
【図２】図１に示す車載用音響機器の前面パネル部の分解斜視図である。
【図３】図１に示す車載用音響機器の表示板の正面図である。
【図４】本発明の照光式表示装置を断面にて示す説明図である。
【符号の説明】
【００２３】
１  前面パネル
２  可変情報表示器
４  表示板
５  遮光印刷層
５ａ  文字（照光表示部）
６  暗色シート
９  光拡散層
１０  導光部材
１１  ランプ（光源）
【図１】
2005077874.tif 000003
【図２】
2005077874.tif 000004
【図３】
2005077874.tif 000005
【図４】
2005077874.tif 000006